(57)【要約】      （修正有）【課題】刈取前処理装置のフィーダハウスの正転駆動装置のベルトを容易に交換できるコンバインを提供する。【解決手段】フィーダハウスの左右壁の後部に左右方向に延在する第１回転軸２２を設け、第１回転軸２２の左端部に、穀稈を搬送するスラットを前方から後方に移動させる正転回転が伝動される第１プーリ２２Ｅを支持し、第１回転軸２２の右端部に、スラットを後方から前方に移動させる逆転回転が伝動される第１ギヤ２２Ａを支持し、第１カウンタ軸１４の右端部に第２プーリ１４Ａを支持し、第１カウンタ軸１４の左端部に第１プーリ２２Ｅに伝動する第３プーリ１４Ｅを支持し、第１カウンタ軸１４における第２プーリ１４Ａと第３プーリ１４Ｅの間に、第１カウンタ軸１４に伝動された回転を脱穀装置に伝動する第４プーリ１４Ｂ、１４Ｃ、１４Ｄを支持し、第３プーリ１４Ｅと第１プーリ２２Ｅに第１ベルト２４を巻回した。【選択図】図３
2020191845.tif 000002
【特許請求の範囲】
【請求項１】
エンジンを搭載した機体フレーム（１）の前側に圃場の穀稈を収穫する刈取前処理装置（３）を設け、該刈取前処理装置（３）の後方左側に収穫された穀稈の脱穀を行う脱穀装置（４）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、
前記脱穀装置（４）の前方下側にエンジンの出力回転が伝動される左右方向に延在する第１カウンタ軸（１４）を設け、
前記フィーダハウス（３Ｄ）の左右壁（３２Ａ，３２Ｂ）の後部に左右方向に延在する第１回転軸（２２）を設け、該第１回転軸（２２）の左端部に、穀稈を搬送するスラット（３５）を前方から後方に移動させる正転回転が伝動される第１プーリ（２２Ｅ）を支持し、前記第１回転軸（２２）の右端部に、スラット（３５）を後方から前方に移動させる逆転回転が伝動される第１ギヤ（２２Ａ）を支持し、
前記第１カウンタ軸（１４）の右端部に、エンジンの出力回転が伝動される第２プーリ（１４Ａ）を支持し、前記第１カウンタ軸（１４）の左端部にカウンタ軸に伝動された回転を第１プーリ（２２Ｅ）に伝動する第３プーリ（１４Ｅ）を支持し、前記第１カウンタ軸（１４）における第２プーリ（１４Ａ）と第３プーリ（１４Ｅ）の間に、カウンタ軸に伝動された回転を脱穀装置（４）に伝動する第４プーリ（１４Ｂ，１４Ｃ，１４Ｄ）を支持し、
前記第３プーリ（１４Ｅ）と第１プーリ（２２Ｅ）に第１ベルト（２４）を巻回したことを特徴とするコンバイン。
【請求項２】
前記第１カウンタ軸（１４）の上方に、左右方向に延在する第２回転軸（１８）を設け、
前記フィーダハウス（３Ｄ）の右壁（３２Ａ）における第１回転軸（２２）の後方部に、左右方向に延在する第２カウンタ軸（３８）を回転自在に設け、
前記第２回転軸（１８）の回転を第２ベルト（３６）を介して第２カウンタ軸（３８）に伝動し、
前記第２カウンタ軸（３８）の中間部に、前記第１ギヤ（２２Ａ）と係合する第２ギヤ（３８Ｂ）を支持した請求項１記載のコンバイン。
【請求項３】
前記第１回転軸（２２）における第１プーリ（２２Ｅ）の右側部に第１スプロケット（２２Ｄ）を支持し、
前記フィーダハウス（３Ｄ）の左右壁（３２Ａ，３２Ｂ）における第１回転軸（２２）の前方部に、左右方向に延在する第３カウンタ軸（５６）を回転自在に設け、該第３カウンタ軸（５６）に第２スプロケット（５６Ｂ）を支持し、前記第３カウンタ軸（５６）における第２スプロケット（５６Ｂ）の右側部にスプロケット（５６Ａ）を支持し、
前記フィーダハウス（３Ｄ）の左壁（３２Ｂ）の前部に第３回転軸（４２，４４）を設け、該第３回転軸（４２，４４）に第４スプロケット（４２Ａ，４４Ａ）を支持し、
前記第１スプロケット（２２Ｄ）と第２スプロケット（５６Ｂ）に第１チェン（４０Ａ）を巻回し、前記第３スプロケット（５６Ａ）と第４スプロケット（４２Ａ，４４Ａ）に第２チェン（４０Ｂ）を巻回した請求項１又は２記載のコンバイン。
【請求項４】
前記フィーダハウス（３Ｄ）の左右壁（３２Ａ，３２Ｂ）における第１回転軸（２２）の前方部を左右方向に延在する中空形状に形成されたパイプ（５２）で連結し、
前記第３カウンタ軸（５６）をパイプ（５２）に回転自在に内嵌した請求項３記載のコンバイン。
【発明の詳細な説明】
【技術分野】
【０００１】
本発明は、刈取前処理装置を備えたコンバインに関するものである。
【背景技術】
【０００２】
従来、刈取前処理装置のフィーダハウスの機体内側である右壁には、穀稈を搬送するスラットを前側から後側に向けて移動させる正転駆動装置を設け、フィーダハウスの機体外側である左壁には、フィーダハウス内で詰まった穀稈を排出するためにスラットを後側から前側に向けて移動させる逆転駆動装置を設ける技術が知られている。（特許文献１）
【先行技術文献】
【特許文献】
【０００３】
【特許文献１】特開２０１６−１８２０６４号公報
【発明の概要】
【発明が解決しようとする課題】
【０００４】
しかし、特許文献１に開示された技術では、使用頻度が多いために交換頻度が多い正転駆動装置のベルトの交換作業が容易に行うことができないという問題があった。
【０００５】
そこで、本発明の課題は、刈取前処理装置のフィーダハウスの正転駆動装置のベルトを容易に交換できるコンバインを提供することにある。
【課題を解決するための手段】
【０００６】
上記課題を解決した本発明は次記のとおりである。
請求項１に係る発明は、エンジンを搭載した機体フレーム（１）の前側に圃場の穀稈を収穫する刈取前処理装置（３）を設け、該刈取前処理装置（３）の後方左側に収穫された穀稈の脱穀を行う脱穀装置（４）を設けたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、前記脱穀装置（４）の前方下側にエンジンの出力回転が伝動される左右方向に延在する第１カウンタ軸（１４）を設け、前記フィーダハウス（３Ｄ）の左右壁（３２Ａ，３２Ｂ）の後部に左右方向に延在する第１回転軸（２２）を設け、該第１回転軸（２２）の左端部に、穀稈を搬送するスラット（３５）を前方から後方に移動させる正転回転が伝動される第１プーリ（２２Ｅ）を支持し、前記第１回転軸（２２）の右端部に、スラット（３５）を後方から前方に移動させる逆転回転が伝動される第１ギヤ（２２Ａ）を支持し、前記第１カウンタ軸（１４）の右端部に、エンジンの出力回転が伝動される第２プーリ（１４Ａ）を支持し、前記第１カウンタ軸（１４）の左端部にカウンタ軸に伝動された回転を第１プーリ（２２Ｅ）に伝動する第３プーリ（１４Ｅ）を支持し、前記第１カウンタ軸（１４）における第２プーリ（１４Ａ）と第３プーリ（１４Ｅ）の間に、カウンタ軸に伝動された回転を脱穀装置（４）に伝動する第４プーリ（１４Ｂ，１４Ｃ，１４Ｄ）を支持し、前記第３プーリ（１４Ｅ）と第１プーリ（２２Ｅ）に第１ベルト（２４）を巻回したことを特徴とするコンバインである。
【０００７】
請求項２に係る発明は、前記第１カウンタ軸（１４）の上方に左右方向に延在する第２回転軸（１８）を設け、前記フィーダハウス（３Ｄ）の右壁（３２Ａ）における第１回転軸（２２）の後方部に、左右方向に延在する第２カウンタ軸（３８）を回転自在に設け、  前記第２回転軸（１８）の回転を第２ベルト（３６）を介して第２カウンタ軸（３８）に伝動し、前記第２カウンタ軸（３８）の中間部に、前記第１ギヤ（２２Ａ）と係合する第２ギヤ（３８Ｂ）を支持した請求項１記載のコンバインである。
【０００８】
請求項３に係る発明は、前記第１回転軸（２２）における第１プーリ（２２Ｅ）の右側部に第１スプロケット（２２Ｄ）を支持し、前記フィーダハウス（３Ｄ）の左右壁（３２Ａ，３２Ｂ）における第１回転軸（２２）の前方部に、左右方向に延在する第３カウンタ軸（５６）を回転自在に設け、該第３カウンタ軸（５６）に第２スプロケット（５６Ｂ）を支持し、前記第３カウンタ軸（５６）における第２スプロケット（５６Ｂ）の右側部にスプロケット（５６Ａ）を支持し、前記フィーダハウス（３Ｄ）の左壁（３２Ｂ）の前部に第３回転軸（４２，４４）を設け、該第３回転軸（４２，４４）に第４スプロケット（４２Ａ，４４Ａ）を支持し、前記第１スプロケット（２２Ｄ）と第２スプロケット（５６Ｂ）に第１チェン（４０Ａ）を巻回し、前記第３スプロケット（５６Ａ）と第４スプロケット（４２Ａ，４４Ａ）に第２チェン（４０Ｂ）を巻回した請求項１又は２記載のコンバインである。
【０００９】
請求項４に係る発明は、前記フィーダハウス（３Ｄ）の左右壁（３２Ａ，３２Ｂ）における第１回転軸（２２）の前方部を左右方向に延在する中空形状に形成されたパイプ（５２）で連結し、前記第３カウンタ軸（５６）をパイプ（５２）に回転自在に内嵌した請求項３記載のコンバインである。  
【発明の効果】
【００１０】
請求項１記載の発明によれば、脱穀装置（４）の前方下側にエンジンの出力回転が伝動される左右方向に延在する第１カウンタ軸（１４）を設け、フィーダハウス（３Ｄ）の左右壁（３２Ａ，３２Ｂ）の後部に左右方向に延在する第１回転軸（２２）を設け、第１回転軸（２２）の左端部に、穀稈を搬送するスラット（３５）を前方から後方に移動させる正転回転が伝動される第１プーリ（２２Ｅ）を支持し、第１回転軸（２２）の右端部に、スラット（３５）を後方から前方に移動させる逆転回転が伝動される第１ギヤ（２２Ａ）を支持し、第１カウンタ軸（１４）の右端部に、エンジンの出力回転が伝動される第２プーリ（１４Ａ）を支持し、第１カウンタ軸（１４）の左端部にカウンタ軸に伝動された回転を第１プーリ（２２Ｅ）に伝動する第３プーリ（１４Ｅ）を支持し、第１カウンタ軸（１４）における第２プーリ（１４Ａ）と第３プーリ（１４Ｅ）の間に、カウンタ軸に伝動された回転を脱穀装置（４）に伝動する第４プーリ（１４Ｂ，１４Ｃ，１４Ｄ）を支持し、第３プーリ（１４Ｅ）と第１プーリ（２２Ｅ）に第１ベルト（２４）を巻回したので、機体外側から第１ベルト（２４）の交換作業を容易に行うことができる。また、第１ベルト（２４）の交換作業時に、第４プーリ（１４Ｂ，１４Ｃ，１４Ｄ）に巻回されたベルトを脱着する必要もない。
【００１１】
請求項２記載の発明によれば、請求項１記載の発明の効果に加えて、第１カウンタ軸（１４）の上方に左右方向に延在する第２回転軸（１８）を設け、フィーダハウス（３Ｄ）の右壁（３２Ａ）における第１回転軸（２２）の後方部に、左右方向に延在する第２カウンタ軸（３８）を回転自在に設け、第２回転軸（１８）の回転を第２ベルト（３６）を介して第２カウンタ軸（３８）に伝動し、第２カウンタ軸（３８）の中間部に、第１ギヤ（２２Ａ）と係合する第２ギヤ（３８Ｂ）を支持したので、フィーダハウス（３Ｄ）の右壁（３２Ａ）における右側後部の空間に第１ギヤ（２２Ａ）と第２ギヤ（３８Ｂ）を容易に配置することができる。
【００１２】
請求項３記載の発明によれば、請求項１又は２記載の発明の効果に加えて、第１回転軸（２２）における第１プーリ（２２Ｅ）の右側部に第１スプロケット（２２Ｄ）を支持し、フィーダハウス（３Ｄ）の左右壁（３２Ａ，３２Ｂ）における第１回転軸（２２）の前方部に、左右方向に延在する第３カウンタ軸（５６）を回転自在に設け、第３カウンタ軸（５６）に第２スプロケット（５６Ｂ）を支持し、第３カウンタ軸（５６）における第２スプロケット（５６Ｂ）の右側部にスプロケット（５６Ａ）を支持し、フィーダハウス（３Ｄ）の左壁（３２Ｂ）の前部に第３回転軸（４２，４４）を設け、第３回転軸（４２，４４）に第４スプロケット（４２Ａ，４４Ａ）を支持し、第１スプロケット（２２Ｄ）と第２スプロケット（５６Ｂ）に第１チェン（４０Ａ）を巻回し、第３スプロケット（５６Ａ）と第４スプロケット（４２Ａ，４４Ａ）に第２チェン（４０Ｂ）を巻回したので、フィーダハウス（３Ｄ）の左右壁（３２Ａ，３２Ｂ）を強固に連結することができる。また、フィーダハウス（３Ｄ）の左壁（３２Ｂ）の近傍に沿ってチェン（４０Ｂ）を設けることができる。さらに、チェン（４０Ｂ）の長さを短くしてチェン（４０Ｂ）の左右方向の蛇行を抑制することもできる。
【００１３】
請求項４記載の発明によれば、請求項３記載の発明の効果に加えて、フィーダハウス（３Ｄ）の左右壁（３２Ａ，３２Ｂ）における第１回転軸（２２）の前方部を左右方向に延在する中空形状に形成されたパイプ（５２）で連結し、第３カウンタ軸（５６）をパイプ（５２）に回転自在に内嵌したので、回転軸（５６）を支持する別部材を設ける必要がなく部品点数の削減ができる。
【図面の簡単な説明】
【００１４】
【図１】コンバインの左側面図である。
【図２】コンバインの正面図である。
【図３】エンジンの出力回転の伝動図である。
【図４】フィーダハウスの後部の右側面図である。
【図５】フィーダハウスの後部の左側面図である。
【図６】フィーダハウスを横方向に断面した平面図である。
【図７】フィーダハウスの左側面図である。
【発明を実施するための形態】
【００１５】
図１，２に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１６】
操縦部５の下部には、エンジンを内装するエンジンルームが設けられ、操縦部５の後側には、脱穀・選別処理された穀粒を貯留するグレンタンク７が設けられ、グレンタンク７の後側には、穀粒を外部に排出する排出筒８が設けられている。排出筒８は、グレンタンク７の下部に連通され上下方向に延在する縦排出筒と、縦排出筒の上部に連通され前後方向に延在する横排出筒から形成されている。
【００１７】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００１８】
先ず、理解を容易にするためにエンジンの出力回転の伝動図について説明する。図３に示すように、エンジンの出力軸１０の出力回転は、ベルト１２を介してカウンタ軸（請求項の「第１カウンタ軸」）１４に伝動される。ベルト１２は、出力軸１０の左端部に支持されたプーリ１０Ａとカウンタ軸１４の右端部に支持されたプーリ（請求項の「第２プーリ」）１４Ａに巻回されている。なお、ベルト１２には、テンションクラッチ１２Ａが設けられている。
【００１９】
カウンタ軸１４に伝動された回転は、ベルト１６を介して脱穀装置４の上部に設けられた回転軸（請求項の「第２回転軸」）１８に伝動される。ベルト１６は、カウンタ軸１４の左側に隣接する部位に支持されたプーリ（請求項の「第４プーリ」）１４Ｂと回転軸１８の右端部に支持されたプーリ１８Ａに巻回されている。なお、回転軸１８に伝動された回転は、ベベルギヤを介して穀稈の脱穀処理を行う扱胴４Ａに伝動される。
【００２０】
カウンタ軸１４に伝動された回転は、ベルト２０を介してフィーダハウス３Ｄの後部に設けられた回転軸（請求項の「第１回転軸」）２２に伝動される。ベルト２０は、カウンタ軸１４の左端部に支持されたプーリ（請求項の「第３プーリ」）１４Ｅと回転軸２２の左端部に支持されたプーリ２２Ｅ（請求項の「第１プーリ」）に巻回されている。なお、ベルト２０には、テンションクラッチ２０Ａが設けられている。
【００２１】
回転軸２２は左右方向に延在して設けられ、回転軸２２の右端部はフィーダハウス３Ｄの枠体の右壁３２Ａよりも右側に設けられ、回転軸２２の左端部はフィーダハウス３Ｄの枠体の左壁３２Ｂよりも左側に設けられている。
【００２２】
回転軸２２における右壁３２Ａと左壁３２Ｂの間の部位には、左右方向に所定の間隔を隔ててスプロケット２２Ｂ，２２Ｃが支持されている。左右一対のスプロケット２２Ｂ，２２Ｃには、フィーダハウス３Ｄに搬送されてきた穀稈を脱穀装置４に向けて搬送するスラット３５の左右方向の両側部が固定された左右一対のチェン３４Ａ，３４Ｂが巻回されている。
【００２３】
これにより、エンジンの出力軸１０の反時計方向の回転をベルト２０を介して回転軸２２に伝動して、回転軸２２の左側軸心視で、回転軸２２を反時計方向に回転させて、フィーダハウス３Ｄを正転状態、すなわち、フィーダハウス３Ｄに搬送されてきた穀稈を脱穀装置４に向けて搬送する状態にすることができる。また、ベルト２０は、機体の左部に設けられるので、容易にベルト２０の点検作業や交換作業を行うことができる。なお、この場合には、テンションクラッチ２０Ａは接続され、テンションクラッチ３６Ａの接続は解除されている。
【００２４】
回転軸１８に伝動された回転は、ベルト３６を介して回転軸２２よりも後方に設けられたカウンタ軸（請求項の「第２カウンタ軸」）３８に伝動される。カウンタ軸３８の左部は左壁３２Ｂの後部に回転自在に支持され、ベルト３６は、回転軸１８の中間部に支持されたプーリ１８Ｂとカウンタ軸３８の右端部に支持されたプーリ３８Ａに巻回されている。なお、ベルト３６には、テンションクラッチ３６Ａが設けられている。
【００２５】
カウンタ軸３８の中間部にはギヤ（請求項の「第２ギヤ」）３８Ｂが支持され、ギヤ３８Ｂは回転軸２２の右端部に支持されたギヤ（請求項の「第１ギヤ」）２２Ａに係合して設けられている。なお、ギヤ２２Ａのピッチ円直径は、プーリ２２Ｅのピッチ円直径よりも小さく形成されている。これにより、回転軸２２の右端部にギヤ２２Ａを容易に固定することができる。
【００２６】
これにより、エンジンの出力軸１０の反時計方向の回転をベルト３６を介して回転軸２２に伝動して、回転軸２２の左側軸心視で、回転軸２２を時計方向に回転させて、フィーダハウス３Ｄを逆転状態、すなわち、脱穀装置４に向けて搬送していた穀稈をフィーダハウス３Ｄの前部に向けて搬送する状態にすることができる。なお、この場合には、テンションクラッチ３６Ａは接続され、テンションクラッチ２０Ａの接続は解除されている。
【００２７】
回転軸２２の回転は、チェン４０を介してフィーダハウス３Ｄの左壁３２Ｂの前部に回転自在に支持された回転軸（請求項の「第３回転軸」）４２と回転軸（請求項の「第３回転軸」）４４に伝動される。チェン４０は、回転軸２２おける左壁３２Ｂの左側に隣接する部位に支持されたスプロケット（請求項の「第１スプロケット」）２２Ｄと、回転軸４２に支持されたスプロケット（請求項の「第４スプロケット」）４２Ａと、回転軸４４に支持されたスプロケット（請求項の「第４スプロケット」）４４Ａに巻回されている。
【００２８】
回転軸４２の左端部には、回転軸４２の回転を刈刃装置３Ｂに伝動する変換装置４６が支持されている。また、回転軸４４の左端部には、ベルト等を介してオーガ装置３Ｃが支持されている。
【００２９】
カウンタ軸１４に伝動された回転は、ベルト（請求項の「第１ベルト」）２４を介して回転軸２６に伝動される。回転軸２６には揺動選別装置（図示省略）に向かって選別風を送風する唐箕４Ｂが支持されており、ベルト２４は、カウンタ軸１４のプーリ１４Ｅの右側に隣接する部位に支持されたプーリ（請求項の「第４プーリ」）１４Ｄと回転軸２６の左端部に支持されたプーリ２６Ａに巻回されている。
【００３０】
カウンタ軸１４に伝動された回転は、ベルト２８を介して回転軸３０に伝動される。回転軸３０には揺動選別装置の後部が支持され、ベルト２８は、カウンタ軸１４のプーリ１４Ｄの右側に所定の間隔を隔てた部位に支持されたプーリ（請求項の「第４プーリ」）１４Ｃと回転軸３０の右端部に支持されたプーリ３０Ａに巻回されている。なお、回転軸３０に伝動された回転は、ベルトやベベルギヤ等を介してグレンタンク７に穀粒を揚穀する１番搬送螺旋４Ｃと、２番処置室に２番物を揚穀する２番搬送螺旋４Ｄに伝動される。なお、プーリ１４Ｂと、プーリ１４Ｃと、プーリ１４Ｄと、プーリ１４Ｅのピッチ円直径は同一直径の形成されている。これにより、プーリ１４Ｂ等に巻回されたベルト１６等の交換作業を容易に行うことができる。
【００３１】
図４に示すように、カウンタ軸１４は、エンジンの出力軸１０の後方上側で、回転軸２６の前方上側に設けられている。また、ベルト１２に外接するテンションクラッチ１２Ａの基部は、エンジンの出力軸１０の後方下側に設けられた支軸に回転自在に支持されている。これにより、ベルト１２とテンションクラッチ１２Ａの点検作業を同時に行うことができる。
【００３２】
回転軸１８は、カウンタ軸１４の前方上側に設けられている。カウンタ軸３８は、カウンタ軸１４の前方上側であって、回転軸１８の前方下側に設けられている。ベルト（請求項の「第２ベルト」）３６に外接するテンションクラッチ３６Ａの基部は、回転軸１８の上方に設けられた支軸に回転自在に支持されている。これにより、ベルト３６とテンションクラッチ３６Ａの点検作業を同時に行うことができる。回転軸２２は、カウンタ軸３８の後方に隣接して設けられている。
【００３３】
図５に示すように、回転軸２２は、カウンタ軸１４の前方上側に設けられている。ベルト２０に外接するテンションクラッチ２０Ａの基部は、回転軸２２の上方に設けられた支軸に回転自在に支持されている。これにより、ベルト２０とテンションクラッチ２０Ａの点検作業を同時に行うことができる。ベルト２４に内接するテンションクラッチ２４Ａの基部は、カウンタ軸１４の下方に設けられた支軸に回転自在に支持されている。これにより、ベルト２４とテンションクラッチ２４Ａの点検作業を同時に行うことができる。
【００３４】
図６，７に示すように、スプロケット２２Ｂとスプロケット２２Ｃの間に位置する回転軸２２の外周部には、円筒形状に形成されたパイプ５０で覆われている。これにより、スラット３５によって搬送されてきた穀稈が回転軸２２に絡み付くのを防止することができる。
【００３５】
パイプ５０の前側には、右壁３２Ａと左壁３２Ｂに架設された円筒形状に形成されたパイプ５２が設けられている。パイプ５２の上部には、パイプ５２からパイプ５０に向かって延在して、パイプ５０の上部を支持する支持プレート５４が設けられている。これにより、右壁３２Ａと左壁３２Ｂを強固に連結することができ、回転軸２２の外周部にパイプ５２を設けることができる。
【００３６】
パイプ５２の内部には、カウンタ軸（請求項の「第３カウンタ軸」）５６が回転自在に内嵌され、カウンタ軸５６に左端部には、スプロケット（請求項の「第２スプロケット」）５６Ｂが支持されている。また、カウンタ軸５６の左部におけるスプロケット５６Ｂの右側には、スプロケット（請求項の「第３スプロケット」）５６Ａが支持されている。
【００３７】
回転軸２２に伝動された回転は、より詳細には、チェン（請求項の「第１チェン」）４０Ａを介して回転軸５６に伝動される。チェン４０Ａは、スプロケット２２Ｄとスプロケット５６Ｂに巻回されている。
【００３８】
回転軸５６に伝動された回転は、より詳細には、チェン（請求項の「第２チェン」）４０Ｂを介して回転軸４２と回転軸４４に伝動される。チェン４０Ｂは、スプロケット５６Ａと、スプロケット４２Ａと、スプロケット４４Ａに巻回されている。これにより、回転軸５６に伝動された回転を刈刃装置３Ｂ、オーガ装置３Ｃ等に伝動するチェン４０Ｂをフィーダハウス３Ｄの左壁３２Ｂに近接させ配置することができる。また、チェン４０Ｂの長さを短くすることができるのでチェン４０Ｂの左右方向の蛇行を抑制することもできる。
【００３９】
チェン４０Ｂの張力は、スプロケット５６Ａからスプロケット４４Ａに向かって移動するチェン４０Ｂに内接するテンションアーム５８Ａと、スプロケット４２Ａからスプロケット５６Ａに向かって移動するチェン４０Ｂに内接するテンションアーム５８Ｂによって調整されている。また、チェン４０Ｂの左部は、上下方向に分割可能なフィーダハウスカバー（図所省略）で覆われている。
【符号の説明】
【００４０】
１        機体フレーム
３        刈取前処理装置
３Ａ      掻込装置
３Ｂ      刈刃装置
３Ｃ      オーガ装置
３Ｄ      フィーダハウス
４        脱穀装置
１４      カウンタ軸（第１カウンタ軸）
１４Ａ    プーリ（第２プーリ）
１４Ｂ    プーリ（第４プーリ）
１４Ｃ    プーリ（第４プーリ）
１４Ｄ    プーリ（第４プーリ）
１４Ｅ    プーリ（第３プーリ）
１８      回転軸（第２回転軸）
２２      回転軸（第１回転軸）
２２Ａ    ギヤ（第１ギヤ）
２２Ｄ    スプロケット（第１スプロケット）
２２Ｅ    プーリ（第１プーリ）
２４      ベルト（第１ベルト）
３２Ａ    右壁
３２Ｂ    左壁
３５      スラット
３６      ベルト（第２ベルト）
３８      カウンタ軸（第２カウンタ軸）
３８Ｂ    ギヤ（第２ギヤ）
４０Ａ    チェン（第１チェン）
４０Ｂ    チェン（第２チェン）
４２      回転軸（第３回転軸）
４２Ａ    スプロケット（第４スプロケット）
４４      回転軸（第３回転軸）
４４Ａ    スプロケット（第４スプロケット）
５２      パイプ
５６      カウンタ軸（第３カウンタ軸）
５６Ａ    スプロケット（第３スプロケット）
５６Ｂ    スプロケット（第２スプロケット）
【図１】
2020191845.tif 000003
【図２】
2020191845.tif 000004
【図３】
2020191845.tif 000005
【図４】
2020191845.tif 000006
【図５】
2020191845.tif 000007
【図６】
2020191845.tif 000008
【図７】
2020191845.tif 000009